(57)【要約】【課題】誤作動により省電力状態の解除が行われることを防止する。【解決手段】携帯情報端末１００は、それぞれ筐体の異なる面に配置されたタッチパネル１２０及び省電力状態解除ボタン１３０−１、１３０−２を備える。携帯情報端末１００は、タッチパネル１２０と省電力状態解除ボタン１３０−１または省電力状態解除ボタン１３０−２とが同時にタッチされているときに、携帯情報端末１００の省電力状態を解除する。【選択図】図１
2013161212.tif 000002
【特許請求の範囲】
【請求項１】
それぞれ筐体の異なる面に配置され、利用者によるタッチの有無を検出する第１のタッチ検出デバイス及び第２のタッチ検出デバイスと、
必要最小限の構成要素にのみ電力を供給する省電力状態の解除を行う省電力状態解除装置と
を備え、
前記省電力状態解除装置は、
前記第１のタッチ検出デバイスと前記第２のタッチ検出デバイスとが同時にタッチされているときに、省電力状態を解除する省電力状態解除部
を備えることを特徴とする携帯情報端末。
【請求項２】
前記第１のタッチ検出デバイスは、筐体の一面である前面に配置され、利用者によってタッチされた位置を検出するタッチセンサであり、
前記第２のタッチ検出デバイスは、前記筐体の前面と背中合わせに設けられる面である背面のうち、当該背面に直交する方向である視線方向から前記筐体を平面視したときに前記第１のタッチ検出デバイスと重複する位置に配置され、
前記省電力状態解除装置の前記省電力状態解除部は、前記第１のタッチ検出デバイスと前記第２のタッチ検出デバイスとが同時にタッチされているとき、かつ前記視線方向から前記筐体を平面視した場合において、前記第１のタッチ検出デバイスがタッチされた位置と前記第２のタッチ検出デバイスによってタッチが検出される位置との間の距離が所定の距離以内であるときに、省電力状態を解除する
ことを特徴とする請求項１に記載の携帯情報端末。
【請求項３】
前記省電力状態解除装置は、
前記第２のタッチ検出デバイスがタッチされたときに、前記第１のタッチ検出デバイスのタッチされた位置を取得するタッチ位置取得部と、
前記タッチ位置取得部が取得した位置が、前記視線方向から前記筐体を平面視した場合において前記第２のタッチ検出デバイスによってタッチが検出される位置から所定の距離以内に存在するか否かを判定する重複判定部と
を備え、
前記省電力状態解除部は、前記重複判定部が、前記タッチ位置取得部が取得した位置と前記第２のタッチ検出デバイスによってタッチが検出される位置との距離が所定の距離以内であると判定した場合に、前記省電力状態を解除する
ことを特徴とする請求項２に記載の携帯情報端末。
【請求項４】
前記第１のタッチ検出デバイス及び前記省電力状態解除装置への電力供給を行う電力供給装置を備え、
前記電力供給装置は、
前記省電力状態に移行したときに前記第１のタッチ検出デバイス及び前記省電力状態解除装置への電力供給を停止し、
前記省電力状態において前記第２のタッチ検出デバイスがタッチされている間、前記第１のタッチ検出デバイス及び前記省電力状態解除装置への電力供給を行う
ことを特徴とする請求項２または請求項３に記載の携帯情報端末。
【請求項５】
携帯情報端末に設けられる省電力状態解除装置であって、
それぞれ前記携帯情報端末の筐体の異なる面に配置され、利用者によるタッチの有無を検出する第１のタッチ検出デバイス及び第２のタッチ検出デバイスが、同時にタッチされているときに、必要最小限の構成要素にのみ電力を供給する省電力状態を解除する省電力状態解除部
を備えることを特徴とする省電力状態解除装置。
【請求項６】
前記第１のタッチ検出デバイスは、筐体の一面である前面に配置され、利用者によってタッチされた位置を検出するタッチセンサであり、前記第２のタッチ検出デバイスは、前記筐体の前面と背中合わせに設けられる面である背面のうち、当該背面に直交する方向である視線方向から前記筐体を平面視したときに前記第１のタッチ検出デバイスと重複する位置に配置されており、
前記省電力状態解除部は、前記第１のタッチ検出デバイスと前記第２のタッチ検出デバイスとが同時にタッチされているとき、かつ前記視線方向から前記筐体を平面視した場合において、前記第１のタッチ検出デバイスがタッチされた位置と前記第２のタッチ検出デバイスによってタッチが検出される位置との間の距離が所定の距離以内であるときに、省電力状態を解除する
ことを特徴とする請求項５に記載の省電力状態解除装置。
【請求項７】
それぞれ筐体の異なる面に配置され、利用者によるタッチの有無を検出する第１のタッチ検出デバイス及び第２のタッチ検出デバイスを備える携帯情報端末における、必要最小限の構成要素にのみ電力を供給する省電力状態の解除方法であって、
前記携帯情報端末が、前記第１のタッチ検出デバイスと前記第２のタッチ検出デバイスとが同時にタッチされているときに、必要最小限の構成要素にのみ電力を供給する省電力状態を解除する
ことを特徴とする省電力状態の解除方法。
【請求項８】
それぞれ筐体の異なる面に配置され、利用者によるタッチの有無を検出する第１のタッチ検出デバイス及び第２のタッチ検出デバイスを備える携帯情報端末に設けられる省電力状態解除装置を、
前記第１のタッチ検出デバイスと前記第２のタッチ検出デバイスとが同時にタッチされているときに、必要最小限の構成要素にのみ電力を供給する省電力状態を解除する省電力状態解除部
として機能させるためのプログラム。
【発明の詳細な説明】
【技術分野】
【０００１】
本発明は、携帯情報端末、省電力状態解除装置、省電力状態の解除方法、及びプログラムに関する。
【背景技術】
【０００２】
近年、タブレット型の携帯情報端末が普及している。タブレット型の携帯情報端末は、その表面の略全面にＬＣＤ（Ｌｉｑｕｉｄ  Ｃｒｙｓｔａｌ  Ｄｉｓｐｌａｙ）などの表示装置が設けられているため、一般的に、他の形状の携帯情報端末と比較して消費電力量が大きい。
【０００３】
そこで、携帯情報端末は省電力化のため、頻繁にその動作状態を省電力状態に移行する。ここで、省電力状態とは、必要最小限の構成要素にのみ電力を供給するように制御された状態のことである。省電力状態とは、ＡＣＰＩ（Ａｄｖａｎｃｅｄ  Ｃｏｎｆｉｇｕｒａｔｉｏｎ  ａｎｄ  Ｐｏｗｅｒ  Ｉｎｔｅｒｆａｃｅ）で定めるスリーピングモードＳ０〜Ｓ５のうちＳ１〜Ｓ４のことである。スリーピングモードＳ１とは、ＣＰＵ（Ｃｅｎｔｒａｌ  Ｐｒｏｃｅｓｓｉｎｇ  Ｕｎｉｔ）のクロックをオフにした状態のことである。また、スリーピングモードＳ２とは、ＣＰＵへの電力供給を停止した状態のことである。また、スリーピングモードＳ３（スリープモード）とは、コンピュータの現在状態を示す情報を主記憶装置に記録し、主記憶装置以外のデバイスへの電源供給を停止した状態のことである。また、スリーピングモードＳ４（ハイバーネーション）とは、コンピュータの現在状態を示す情報を全て不揮発記憶装置に記録し、主記憶装置を含むデバイスへの電源供給を停止した状態のことである。なお、省電力状態は、スタンバイモード、サスペンドモード、休止状態等と呼ばれることがある。
【０００４】
省電力状態を解除する方法としては、携帯情報端末の側面や上面に設けられたボタンのタッチの検知により解除する方法や、内部に配置された振動センサや光センサのセンサ値に基づいて解除する方法が挙げられる。例えば、特許文献１には、携帯情報端末に姿勢センサを配置し、当該姿勢センサによって、利用者が携帯情報端末の画面を見る挙動が検知されたときに、省電力状態の解除方法が開示されている。
【先行技術文献】
【特許文献】
【０００５】
【特許文献１】特開２００７−０８０２１９号公報
【発明の概要】
【発明が解決しようとする課題】
【０００６】
しかしながら、携帯情報端末のボタンをタッチする方法を用いた場合、例えば携帯情報端末を鞄などに入れて持ち運んだときに、意図せずボタンがタッチされてしまい、省電力状態の解除がされてしまう可能性がある。また、特許文献１などのセンサによる方法を用いた場合、その設定が複雑であり、また持ち運びのときに、意図せずセンサが省電力状態の解除を示すセンサ値を出力してしまう可能性がある。
本発明の目的は、上述した課題を解決する携帯情報端末、省電力状態解除装置、省電力状態の解除方法、及びプログラムを提供することにある。
【課題を解決するための手段】
【０００７】
本発明は上記の課題を解決するためになされたものであり、それぞれ筐体の異なる面に配置され、利用者によるタッチの有無を検出する第１のタッチ検出デバイス及び第２のタッチ検出デバイスと、必要最小限の構成要素にのみ電力を供給する省電力状態の解除を行う省電力状態解除装置とを備え、前記省電力状態解除装置は、前記第１のタッチ検出デバイスと前記第２のタッチ検出デバイスとが同時にタッチされているときに、省電力状態を解除する省電力状態解除部を備えることを特徴とする携帯情報端末である。
【０００８】
また、本発明は、それぞれ筐体の異なる面に配置され、利用者によるタッチの有無を検出する第１のタッチ検出デバイス及び第２のタッチ検出デバイスを備える携帯情報端末に設けられる省電力状態解除装置であって、前記第１のタッチ検出デバイスと前記第２のタッチ検出デバイスとが同時にタッチされているときに、必要最小限の構成要素にのみ電力を供給する省電力状態を解除する省電力状態解除部を備えることを特徴とする。
【０００９】
また、本発明は、それぞれ筐体の異なる面に配置され、利用者によるタッチの有無を検出する第１のタッチ検出デバイス及び第２のタッチ検出デバイスを備える携帯情報端末における、必要最小限の構成要素にのみ電力を供給する省電力状態の解除方法であって、前記携帯情報端末が、前記第１のタッチ検出デバイスと前記第２のタッチ検出デバイスとが同時にタッチされているときに、必要最小限の構成要素にのみ電力を供給する省電力状態を解除することを特徴とする。
【００１０】
また、本発明は、それぞれ筐体の異なる面に配置され、利用者によるタッチの有無を検出する第１のタッチ検出デバイス及び第２のタッチ検出デバイスを備える携帯情報端末に設けられる省電力状態解除装置を、前記第１のタッチ検出デバイスと前記第２のタッチ検出デバイスとが同時にタッチされているときに、必要最小限の構成要素にのみ電力を供給する省電力状態を解除する省電力状態解除部として機能させるためのプログラムである。
【発明の効果】
【００１１】
本発明によれば、誤作動により携帯情報端末の省電力状態の解除が行われることを防止することができる。
【図面の簡単な説明】
【００１２】
【図１】本発明の一実施形態による携帯情報端末の外観を示す図である。
【図２】本発明の一実施形態による携帯情報端末の構成を示す概略ブロック図である。
【図３】本発明の一実施形態による携帯情報端末の動作を示すフローチャートである。
【図４】本発明による携帯情報端末の基本構成を示す概略ブロック図である。
【発明を実施するための形態】
【００１３】
以下、図面を参照しながら本発明の実施形態について詳しく説明する。
図１は、本発明の一実施形態による携帯情報端末１００の外観を示す図である。
携帯情報端末１００は、外形をなす筐体１１０、タッチパネル１２０（第１のタッチ検出デバイス）、２つの省電力状態解除ボタン１３０−１、１３０−２（第２のタッチ検出デバイス）、電源ボタン１４０を備える。以下、省電力状態解除ボタン１３０−１、１３０−２を総称して、省電力状態解除ボタン１３０という。なお、携帯情報端末１００の例としては、例えば携帯電話、スマートフォン、携帯ゲーム機、タブレットＰＣ（Ｐｅｒｓｏｎａｌ  Ｃｏｍｐｕｔｅｒ）、ノートＰＣなどが挙げられる。
【００１４】
図１（Ａ）は、筐体１１０を前面から見た外観図であり、図１（Ｂ）は、筐体１１０を背面から見た外観図である。また、図１（Ａ）の点線部は、筐体１１０を前面から平面視したときの省電力状態解除ボタン１３０の位置を示すものであり、図１（Ｂ）の点線部は、筐体１１０を背面から平面視したときのタッチパネル１２０の位置を示すものである。
【００１５】
タッチパネル１２０は、筐体１１０の前面に配置されている。タッチパネル１２０は、ディスプレイとタッチセンサとを備えた装置であり、利用者に対し情報の提示を行い、また利用者によってタッチされた位置を検出する。なお、本明細書において「タッチ」とは、入力デバイスがタッチパネルやタッチセンサである場合における「接触」並びに「押圧」、及び入力デバイスがボタンやキーである場合における「押下」のことである。
【００１６】
省電力状態解除ボタン１３０は、筐体１１０の前面と背中合わせに設けられる面（以下、背面という）のうち、背面に直交する方向である視線方向から筐体１１０を平面視したときにタッチパネル１２０と重複する位置に配置されている。ここで、「視線方向から筐体１１０を平面視したときにタッチパネル１２０と重複する位置」とは、すなわち、タッチパネル１２０が配置される位置と背中合わせに重複する筐体１１０の背面の位置のことである。またこれは、タッチパネル１２０が配置される位置に対して、前面と背面との間を二等分する対称面で面対称の、筐体１１０の背面の位置と重複する位置でもある。
なお、省電力状態解除ボタン１３０は、鞄などに入れて携帯情報端末１００を持ち運んだときや携帯情報端末１００が机上に載置されたときに誤ってタッチされることを防止するため、筐体１１０の面よりやや窪んだ位置に設けられることが好ましい。
【００１７】
図２は、本発明の一実施形態による携帯情報端末１００の構成を示す概略ブロック図である。なお、図２において太線は電力線を示し、細線は情報線を示す。
携帯情報端末１００は、ハードウェアとして、タッチパネル１２０、省電力状態解除ボタン１３０、電源ボタン１４０、ＣＰＵ１５０（Ｃｅｎｔｒａｌ  Ｐｒｏｃｅｓｓｉｎｇ  Ｕｎｉｔ）、省電力状態解除装置１６０、電力供給装置１７０を備える。
ＣＰＵ１５０は、タッチパネル１２０からの入力に基づいて携帯情報端末１００の動作のための演算処理を行い、タッチパネル１２０に表示情報を出力する。なお、ＣＰＵ１５０は、電源ボタン１４０の長押しにより実行中の演算を全て中断し、電力供給装置１７０に対して省電力状態への移行命令を出力する。
省電力状態解除装置１６０は、省電力状態の解除の判定を行うプロセッサである。省電力状態解除装置１６０は、タッチパネル１２０及び省電力状態解除ボタン１３０のタッチに基づいて省電力状態を解除するか否かを判定し、省電力状態の解除命令を電力供給装置１７０に出力する。
電力供給装置１７０は、通常状態においてタッチパネル１２０、ＣＰＵ１５０、省電力状態解除装置１６０に電力を供給する。また、電力供給装置１７０は、省電力状態においてタッチパネル１２０、ＣＰＵ１５０、省電力状態解除装置１６０への電力供給を停止する。
【００１８】
次に、省電力状態解除装置１６０のソフトウェア構成について説明する。
省電力状態解除装置１６０は、図示しないＲＯＭ（Ｒｅａｄ  Ｏｎｌｙ  Ｍｅｍｏｒｙ）からプログラムを読み出して実行することで、タッチ位置取得部１６１、重複判定部１６２、省電力状態解除部１６３を備える。
【００１９】
タッチ位置取得部１６１は、タッチパネル１２０が検出したタッチ位置を示すタッチ位置情報を取得する。
重複判定部１６２は、タッチ位置取得部１６１が取得したタッチ位置情報が、視線方向から筐体１１０を平面視した場合において省電力状態解除ボタン１３０の中心位置から所定の距離（例えば、省電力状態解除ボタン１３０の半径）以内の位置を示すか否かを判定する。
省電力状態解除部１６３は、重複判定部１６２により、タッチ位置情報が省電力状態解除ボタン１３０の中心位置から所定の距離以内の位置を示すと判定された場合に、電力供給装置１７０に省電力状態の解除命令を出力する。
【００２０】
図３は、本発明の一実施形態による携帯情報端末１００の動作を示すフローチャートである。
通常動作時において、利用者によるタッチパネル１２０のタッチが最後にされた時刻から所定時間（例えば、３０秒）の間タッチパネル１２０のタッチが無かった場合、または電源ボタン１４０が長押しされた場合、ＣＰＵ１５０は、実行中の演算を中断する。ＣＰＵ１５０は全ての演算を中断すると、電力供給装置１７０に省電力状態への移行命令を出力する。電力供給装置１７０は、ＣＰＵ１５０から移行命令を受け付けると、必要最小限の構成要素（例えばメモリ）を除き、ＣＰＵ１５０、タッチパネル１２０、省電力状態解除装置１６０、その他の構成要素への電力供給を停止する（ステップＳ１）。
【００２１】
次に、電力供給装置１７０は、省電力状態解除ボタン１３０のタッチの有無を判定する（ステップＳ２）。電力供給装置１７０は、省電力状態解除ボタン１３０がタッチされたと判定するまで、ステップＳ２の判定を継続する（ステップＳ２：ＮＯ）。他方、電力供給装置１７０は、省電力状態解除ボタン１３０がタッチされた判定すると（ステップＳ２：ＹＥＳ）、タッチパネル１２０及び省電力状態解除装置１６０への電力供給を開始する（ステップＳ３）。
【００２２】
電力供給装置１７０がタッチパネル１２０及び省電力状態解除装置１６０への電力供給を開始すると、省電力状態解除装置１６０のタッチ位置取得部１６１は、タッチパネル１２０が利用者によるタッチを検出したか否かを判定する（ステップＳ４）。タッチ位置取得部１６１が、タッチパネル１２０がタッチされていると判定した場合（ステップＳ４：ＹＥＳ）、タッチパネル１２０がタッチを検出した位置を示すタッチ位置情報を取得する。
【００２３】
次に、重複判定部１６２は、タッチ位置取得部１６１が取得したタッチ位置情報が、視線方向から筐体１１０を平面視した場合において省電力状態解除ボタン１３０の中心位置から所定の距離以内の位置を示すか否かを判定する（ステップＳ５）。すなわち、重複判定部１６２は、タッチパネル１２０がタッチを検出した位置が、図１（Ａ）に示す、タッチされている省電力状態解除ボタン１３０に背合わせとなる破線部内であるか否かを判定する。あるいは、重複判定部１６２が、視線方向から筐体１１０を平面視した場合において省電力状態解除ボタン１３０の中心位置から所定の距離以内にタッチ位置情報が示す位置が存在するか否かを判定しているともいえる。
【００２４】
重複判定部１６２は、タッチ位置取得部１６１が取得したタッチ位置情報が省電力状態解除ボタン１３０の中心位置から所定の距離以内の位置を示すと判定した場合（ステップＳ５：ＹＥＳ）、省電力状態解除部１６３は、電力供給装置１７０に省電力状態の解除命令を出力する。そして、電力供給装置１７０は、ＣＰＵ１５０その他の構成要素への電力供給を開始することで、省電力状態を解除する（ステップＳ６）。
【００２５】
他方、タッチ位置取得部１６１が、タッチパネル１２０がタッチされていないと判定した場合（ステップＳ４：ＮＯ）、または重複判定部１６２が、タッチ位置取得部１６１が取得したタッチ位置情報が省電力状態解除ボタン１３０の中心位置から所定の距離以上離れた位置を示すと判定した場合（ステップＳ５：ＮＯ）、省電力状態が維持されることとなる。
【００２６】
このとき、電力供給装置１７０は、省電力状態解除ボタン１３０のタッチ状態が解除されているか否かを判定する（ステップＳ７）。電力供給装置１７０は、省電力状態解除ボタン１３０のタッチが継続されていると判定した場合（ステップＳ７：ＹＥＳ）、ステップＳ４に戻り、タッチパネル１２０のタッチの有無の判定を行う。
【００２７】
他方、電力供給装置１７０は、省電力状態解除ボタン１３０のタッチ状態が解除されたと判定した場合（ステップＳ７：ＮＯ）、タッチパネル１２０及び省電力状態解除装置１６０への電力供給を停止する（ステップＳ８）。そして、ステップＳ２に戻り、省電力状態解除ボタン１３０のタッチの有無の判定を行う。つまり、省電力状態解除装置１６０がステップＳ５の判定を行うときは、必ず省電力状態解除ボタン１３０がタッチされているとき、すなわちタッチパネル１２０と省電力状態解除ボタン１３０とが同時にタッチされているときに限られる。
【００２８】
このように、本実施形態によれば、省電力状態解除装置１６０は、それぞれ筐体１１０の異なる面に配置されたタッチパネル１２０及び省電力状態解除ボタン１３０が同時にタッチされているときに、携帯情報端末１００の省電力状態を解除する。このとき、携帯情報端末１００を鞄などに入れて持ち運んだときにも、タッチパネル１２０と省電力状態解除ボタン１３０とが同時にタッチされる可能性は低い。これにより携帯情報端末１００は、誤作動により省電力状態の解除が行われることを防止することができる。
【００２９】
また、本実施形態によれば、省電力状態解除ボタン１３０は、筐体１１０の前面と背中合わせに設けられる背面のうち、視線方向から筐体１１０を平面視したときにタッチパネル１２０と重複する位置に配置される。そして、省電力状態解除部１６３は、視線方向から筐体１１０を平面視した場合において、タッチパネル１２０がタッチされた位置と省電力状態解除ボタン１３０によってタッチが検出される位置との間の距離が所定の距離以内であるときに、省電力状態を解除する。これにより、利用者は、省電力状態解除ボタン１３０を介して筐体１１０をつまむことで、単純かつ安定した動作により省電力状態の解除を行うことができる。
【００３０】
また、本実施形態によれば、省電力状態解除装置１６０は、省電力状態解除ボタン１３０がタッチされたときに、タッチパネル１２０のタッチされた位置を取得し、当該位置に基づいて省電力状態の解除の可否を判定する。また、電力供給装置１７０は、省電力状態において省電力状態解除ボタン１３０のタッチがされるまでタッチパネル１２０への電力供給を停止させておく。これにより、携帯情報端末１００の消費電力量をさらに低減させることができる。
【００３１】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００３２】
なお、本実施形態では、利用者によるタッチの有無を検出するタッチ検出デバイスとして、タッチパネル１２０及び省電力状態解除ボタン１３０の組み合わせを用いる場合を説明したが、これに限らない。例えば、電源ボタン１４０とタッチパネル１２０の組み合わせ、電源ボタン１４０と省電力状態解除ボタン１３０の組み合わせ、または本実施形態で説明しなかった他のボタンを用いた組み合わせが同時に押下を検出したときに、省電力状態に移行するようにしても、誤作動により省電力状態の解除が行われることを防止することができる。また、電源ボタン１４０や他のボタンで、タッチパネル１２０や省電力状態解除装置１６０への電力供給を開始する点は、本実施形態の発明と同じである。
ただし、この場合、省電力状態解除ボタン１３０を介して筐体１１０をつまむことで、単純かつ安定した動作により省電力状態の解除を行うことができるという効果を見込むことはできない。
【００３３】
また、本実施形態では、利用者によってタッチされた位置を検出するタッチセンサとしてタッチパネル１２０を用いる場合について説明したが、これに限らず、例えば、タッチパネル１２０に代えて、ディスプレイを有しないタッチパッドを用いても良い。
【００３４】
また、本実施形態では、省電力状態解除ボタン１３０が物理的に設けられた押しボタンである場合を説明したが、これに限らない。例えば、省電力状態解除ボタン１３０の代わりにタッチパネル、タッチセンサ、近接センサを用いても良い。なお、省電力状態解除ボタン１３０の代わりにタッチセンサを用いる場合、省電力状態解除装置１６０は、タッチパネル１２０が検出した位置とタッチセンサが検出した位置との距離が所定の距離以内である場合に省電力状態の解除を行うこととなる。
【００３５】
また、本実施形態では、電力供給装置１７０から省電力状態解除装置１６０への電力供給がある場合には、必ず省電力状態解除ボタン１３０がタッチされているため、省電力状態解除装置１６０が省電力状態解除ボタン１３０のタッチの有無の判定を行わない場合について説明したが、これに限らない。例えば、電力供給装置１７０が省電力状態解除ボタン１３０のタッチの有無に関わらず省電力状態解除装置１６０に電力を供給している場合（例えば、電力供給装置１７０に省電力状態解除装置１６０が含まれる場合）、省電力状態解除装置１６０は、省電力状態解除ボタン１３０のタッチの有無を判定し、タッチされていると判定した場合にのみ、省電力状態の解除を行う必要がある。
【００３６】
また、本実施形態では、省電力状態解除ボタン１３０のタッチの有無の判定の後に、タッチパネル１２０のタッチの有無の判定を行う場合について説明したが、これに限らず、省電力状態解除ボタン１３０のタッチの有無の判定の前に、タッチパネル１２０のタッチの有無の判定を行っても良いし、同時に判定を行っても良い。
【００３７】
《基本構成》
図４は、本発明による携帯情報端末１００の基本構成を示す概略ブロック図である。
上述した実施形態では、本発明による携帯情報端末１００の一実施形態として図１に示す構成について説明したが、本発明による携帯情報端末１００の基本構成は、図４に示すとおりである。
すなわち、本発明による携帯情報端末１００は、第１のタッチ検出デバイス、第２のタッチ検出デバイス、及び省電力状態解除装置１６０を基本構成とする。
【００３８】
第１のタッチ検出デバイスは、筐体１１０の第１の面に配置され、利用者によるタッチの有無を検出する。なお、第１のタッチ検出デバイスは、上述した実施形態においてタッチパネル１２０により実装された機構である。
第２のタッチ検出デバイスは、第１の面と異なる第２の面に配置され、利用者によるタッチの有無を検出する。なお、第２のタッチ検出デバイスは、上述した実施形態において省電力状態解除ボタン１３０により実装された機構である。
省電力状態解除装置１６０は、必要最小限の構成要素にのみ電力を供給する省電力状態の解除を行う装置であって、第１のタッチ検出デバイスと第２のタッチ検出デバイスとが同時にタッチされているときに、省電力状態を解除する省電力状態解除部１６３を備える。
これにより、携帯情報端末１００は、誤作動により省電力状態の解除が行われることを防止することができる。
【００３９】
上記の実施形態の一部又は全部は、以下の付記のようにも記載されうるが、以下には限られない。
【００４０】
（付記１）
それぞれ筐体の異なる面に配置され、利用者によるタッチの有無を検出する第１のタッチ検出デバイス及び第２のタッチ検出デバイスと、
必要最小限の構成要素にのみ電力を供給する省電力状態の解除を行う省電力状態解除装置と
を備え、
前記省電力状態解除装置は、
前記第１のタッチ検出デバイスと前記第２のタッチ検出デバイスとが同時にタッチされているときに、省電力状態を解除する省電力状態解除部
を備えることを特徴とする携帯情報端末。
【００４１】
（付記２）
前記第１のタッチ検出デバイスは、筐体の一面である前面に配置され、利用者によってタッチされた位置を検出するタッチセンサであり、
前記第２のタッチ検出デバイスは、前記筐体の前面と背中合わせに設けられる面である背面のうち、当該背面に直交する方向である視線方向から前記筐体を平面視したときに前記第１のタッチ検出デバイスと重複する位置に配置され、
前記省電力状態解除装置の前記省電力状態解除部は、前記第１のタッチ検出デバイスと前記第２のタッチ検出デバイスとが同時にタッチされているとき、かつ前記視線方向から前記筐体を平面視した場合において、前記第１のタッチ検出デバイスがタッチされた位置と前記第２のタッチ検出デバイスによってタッチが検出される位置との間の距離が所定の距離以内であるときに、省電力状態を解除する
ことを特徴とする付記１に記載の携帯情報端末。
【００４２】
（付記３）
前記省電力状態解除装置は、
前記第２のタッチ検出デバイスがタッチされたときに、前記第１のタッチ検出デバイスのタッチされた位置を取得するタッチ位置取得部と、
前記タッチ位置取得部が取得した位置が、前記視線方向から前記筐体を平面視した場合において前記第２のタッチ検出デバイスによってタッチが検出される位置から所定の距離以内に存在するか否かを判定する重複判定部と
を備え、
前記省電力状態解除部は、前記重複判定部が、前記タッチ位置取得部が取得した位置と前記第２のタッチ検出デバイスによってタッチが検出される位置との距離が所定の距離以内であると判定した場合に、前記省電力状態を解除する
ことを特徴とする付記２に記載の携帯情報端末。
【００４３】
（付記４）
前記第１のタッチ検出デバイス及び前記省電力状態解除装置への電力供給を行う電力供給装置を備え、
前記電力供給装置は、
前記省電力状態に移行したときに前記第１のタッチ検出デバイス及び前記省電力状態解除装置への電力供給を停止し、
前記省電力状態において前記第２のタッチ検出デバイスがタッチされている間、前記第１のタッチ検出デバイス及び前記省電力状態解除装置への電力供給を行う
ことを特徴とする付記２または付記３に記載の携帯情報端末。
【００４４】
（付記５）
携帯情報端末に設けられる省電力状態解除装置であって、
それぞれ前記携帯情報端末の筐体の異なる面に配置され、利用者によるタッチの有無を検出する第１のタッチ検出デバイス及び第２のタッチ検出デバイスが、同時にタッチされているときに、必要最小限の構成要素にのみ電力を供給する省電力状態を解除する省電力状態解除部
を備えることを特徴とする省電力状態解除装置。
【００４５】
（付記６）
前記第１のタッチ検出デバイスは、筐体の一面である前面に配置され、利用者によってタッチされた位置を検出するタッチセンサであり、前記第２のタッチ検出デバイスは、前記筐体の前面と背中合わせに設けられる面である背面のうち、当該背面に直交する方向である視線方向から前記筐体を平面視したときに前記第１のタッチ検出デバイスと重複する位置に配置されており、
前記省電力状態解除部は、前記第１のタッチ検出デバイスと前記第２のタッチ検出デバイスとが同時にタッチされているとき、かつ前記視線方向から前記筐体を平面視した場合において、前記第１のタッチ検出デバイスがタッチされた位置と前記第２のタッチ検出デバイスによってタッチが検出される位置との間の距離が所定の距離以内であるときに、省電力状態を解除する
ことを特徴とする付記５に記載の省電力状態解除装置。
【００４６】
（付記７）
それぞれ筐体の異なる面に配置され、利用者によるタッチの有無を検出する第１のタッチ検出デバイス及び第２のタッチ検出デバイスを備える携帯情報端末における、必要最小限の構成要素にのみ電力を供給する省電力状態の解除方法であって、
前記携帯情報端末が、前記第１のタッチ検出デバイスと前記第２のタッチ検出デバイスとが同時にタッチされているときに、必要最小限の構成要素にのみ電力を供給する省電力状態を解除する
ことを特徴とする省電力状態の解除方法。
【００４７】
（付記８）
それぞれ筐体の異なる面に配置され、利用者によるタッチの有無を検出する第１のタッチ検出デバイス及び第２のタッチ検出デバイスを備える携帯情報端末に設けられる省電力状態解除装置を、
前記第１のタッチ検出デバイスと前記第２のタッチ検出デバイスとが同時にタッチされているときに、必要最小限の構成要素にのみ電力を供給する省電力状態を解除する省電力状態解除部
として機能させるためのプログラム。
【符号の説明】
【００４８】
１００…携帯情報端末  １１０…筐体  １２０…タッチパネル  １３０、１３０−１、１３０−２…省電力状態解除ボタン  １４０…電源ボタン  １５０…ＣＰＵ  １６０…省電力状態解除装置  １６１…タッチ位置取得部  １６２…重複判定部  １６３…省電力状態解除部  １７０…電力供給装置
【図１】
2013161212.tif 000003
【図２】
2013161212.tif 000004
【図３】
2013161212.tif 000005
【図４】
2013161212.tif 000006